(57)【要約】【課題】仮り置きレールの既設レールからの離隔寸法及び仮り置きレールの頭部頂面の高低寸法の測定の容易化。【解決手段】既設レール６，８の頭部に載置され、且つ係止する中空部材２とを設ける。そして、この中空部材２内に挿入さして表面に目盛１４が表示された水平方向の測定部材３を設ける。さらに、この水平方向の測定部材３の端に垂直方向の測定部材４を設ける。【選択図】        図１
2008208679.tif 000002
【特許請求の範囲】
【請求項１】
既設レールの頭部に載置され、且つ係止する中空部材と、これに挿入され表面に目盛が表示された水平方向の測定部材と、この水平方向の測定部材の端に設けられた垂直方向の測定部材とより成ることを特徴とする仮り置きレールの測定装置。
【請求項２】
前記垂直方向の測定部材は、前記水平方向の測定部材に固着の固定部材と、これに対し垂直方向に移動し、且つ複数の目盛が表示された目盛表示部材とより成ることを特徴とする請求項１記載の仮り置きレールの測定装置。
【請求項３】
前記中空部材とこれに挿入され、水平方向の測定部材は、共に角パイプが用いられ、一つの角が頂となるように配置して使用されることを特徴とする請求項１記載の仮り置きレールの測定装置。
【請求項４】
前記中空部材は、２つの部材からなり、一方が他方に挿入されるように構成されたことを特徴とする請求項１又は３記載の仮り置きレールの測定装置。
【発明の詳細な説明】
【技術分野】
【０００１】
この発明は、鉄道のレール交換のために、道床に仮り置き設置されるレールの既設レールからの離隔寸法及び既設レールと仮り置きレールの頭部頂面位置の高低差の測定に関する。
【背景技術】
【０００２】
鉄道に用いられているレール（以下既設レールという）は、車両の走行により摩耗したり劣化することから、交換しなければならない。レールの交換は、既設レールの近傍で道床上に交換レールを仮り置きした上で、所望の交換日に既設レールを枕木から外し、その後に仮り置きレールを枕木上に組付けることで行われている。
【０００３】
しかし、交換用の仮り置きレールは、交換日まで道床等に置かれているため、既設レール側に近づいたり、また既設レールの頭部頂面位置よりも高いと、走行する車両の下部に衝突する危険があり、車両の安全性に問題があった。
【０００４】
このため、近年レールを仮り置きする場合でも、既設レールから所定寸法（９５０mm以上）離れると共に、仮り置きレールの頭部頂面位置が既設レールの頭部頂面よりも低くしなければならず、建築限界を確保することが要求されている。
【発明の開示】
【発明が解決しようとする課題】
【０００５】
しかし、仮り置きレールの測定装置が無いため、所定の長さ（９５０mm）のテープを使用し、一人が一方を持ち、他の一人が他方を持ちながら、既設レールと仮り置きレール間を測定し、また他の人が既設レールと仮り置きレールの頭部頂面位の高低差を測定していた。
【０００６】
仮り置きレールと既設レールとの間の水平方向及び垂直高低差寸法の測定は、今年度（平成１８年）から始まったばかりで、従来例となるような特許文献は発見されなかった。近似する例として、特許文献１を示すことができる。この例の従来例には、棒状の直定規を用いて、地下鉄道等に用いられる第３軌条の軌道狂いを測定する装置である。
【特許文献１】実公昭６３−６６４５号公報
【０００７】
そこで、この発明は、１人で運んで、既設レールと仮り置きレール間の水平方向寸法と、既設レールと仮り置きレールの頭部頂面の垂直方向の高低差寸法を容易に測定できる測定装置を提供することにある。
【課題を解決するための手段】
【０００８】
この発明に係る仮り置きレール測定装置は、既設レールの頭部に載置され、且つ係止する中空部材と、これに挿入され表面に目盛が表示された水平方向の測定部材と、この水平方向の測定部材の端に設けられた垂直方向の測定部材とより成ることを特徴としている（請求項１）。
【０００９】
これにより、既設レール上に中空部材を載置し、既設レールに係止する。それから、引き出されている水平方向の測定部材の先端の垂直方向の測定部材を仮り置きレールの頭部の側面に当接する。そして、水平方向の測定部材の中空部材からの引き出された部位の目盛を読むことで、水平方向寸法が明らかとなる。
【００１０】
それから、垂直方向の測定は、仮り置きレールの頭部頂面の目盛を読むことで既設のレールの頭部頂面とどのぐらいの高低差があるか明らかとなる。このように水平方向寸法が９５０mmよりも大きいこと、仮り置きレールの頭部頂面が既設レール頭部頂面より低いことが確認できれば、仮り置きレール設置の修正は必要ないが、逆の場合には仮り置きレールの設置を修正しなければならない。
【００１１】
前記垂直方向の測定部材は、前記水平方向の測定部材に固着の固定部材と、これに対し垂直方向に移動し、且つ複数の目盛が表示された目盛表示部材とより成ることを特徴とする（請求項２）。
【００１２】
これにより、垂直方向の測定即ち、既設レールの頭部頂面と仮り置きレールの頭部帳面との高低差の寸法を測定できる。また基準となる既設レールの頭部頂面よりプラス方向（高い方向）又はマイナス方向（低い方向）に大きくずれた場合には目盛が対応できないことがあり、この場合に切換えて使用することができる。
【００１３】
前記中空部材とこれに挿入され、水平方向の測定部材は、前記中空部材とこれに挿入され、水平方向の測定部材は、共に角パイプが用いられ、一つの角が頂となるように配置して使用されることを特徴とする（請求項３）。これにより、自重に対するたわみ量を少なくすることができる。また内部に挿入の水平方向の測定部材が下側の斜傾する２辺にて支えられることから、摺動抵抗が小さくでき、動きが軽くスムーズとなる。
【００１４】
なお、前記中空部材は、２つの部材からなり、一方が他方に挿入されるように構成されたことを特徴としていることから（請求項４）、測定場所への持ち運び時や収納時に、軸方向寸法を短くすることができ、便利である。
【発明の効果】
【００１５】
以上のように、この発明によれば、仮り置きレールと既設レールとの離隔寸法及び仮り置きレールと既設レールとの頭部頂面の高低差寸法を容易に測定することができる。しかも、水平方向の測定部材の中空部材から引き出された部位の目盛を目視すれば、離隔寸法が確認でき、また垂直方向の測定部材に当接する仮り置きレールの頭部頂面位置の目盛を目視すれば、既設レールの頭部頂面との高低差を確認できる。その確認作業はきわめて簡単である（請求項１）。
【００１６】
垂直方向の測定部材は、目盛表示が垂直方向に動くことができるため、複数表示の目盛を使い分けることができる（請求項２）。
【００１７】
中空部材と、水平方向の測定部材は、共に角パイプの角が頂きとなるように設置されることから、自重によるたわみ量を少なくすることができる。また水平方向の測定部材が中空部材との摺動も軽くスムーズとなっている（請求項３）。
【００１８】
中空部材は、２つの部材からなり、挿入自在となる構成であり、また水平方向の測定部材も中空部材に対して挿入自在であるから、持ち運び時や収納時に長手方向寸法を短くすることができる（請求項４）。
【発明を実施するための最良の形態】
【００１９】
以下、この発明の実施例を図面にもとづいて説明する。
【実施例１】
【００２０】
図１において、この発明の仮り置きレールの測定装置１の全体を表し、測定状態を示し、図２において、持ち運び時の縮状態の図を表している。
【００２１】
仮り置きレールの測定装置１は、中空部材２と、この中空部材２内に挿入され、伸縮自在の水平方向の測定部材３と、この水平方向測定部材３の先端に固着の垂直方向の測定部材４より成っている。
【００２２】
中空部材２は、角パイプが用いられ、２つのパイプ２ａ，２ｂより成り、一方が他方に入り込むことができ、伸縮自在で、一方側の中空部材２ａには、既設のレール６に載置される置き座７を有し、他方側の中空部材２ｂにも、その反他方の既設レール８の置き座９を有している。
【００２３】
この中空部材２は、図３乃至図５に詳細に示され、これを加えて説明すると、前記置き座７と前記置き座９は同一構成で、中空部材２の一つの角を頂きとするようにベース板７ａ，９ａと支え板７ｂ、９ｂにて支えられている。
【００２４】
一方の置き座９は、そのベース板９ｂにアングル状の係止板１１が取付られている。この係止板１１は、測定時に仮り置きレール１３側の既設レール８の頭部８ａ側面に係止して使用する。
【００２５】
水平方向の測定部材３は、角パイプが用いられ、前記したように、前記中空部材２内に挿入され、伸縮自在で、表面に目盛１４が表示されている。この目盛１４の中空部材２から引き出された位置を読むことで水平方向の寸法が確認できる。
【００２６】
垂直方向の測定部材４は、図６，図７を加えて説明すると、前記水平方向の測定部材３に固着の固定部材１６と、この固定部材１６に対し垂直方向へ動き、且つ２つの目盛２２，２３が表示された目盛表示部材１７とより成っている。
【００２７】
この目盛表示部材１７はアングル状に形成され、一面には縦方向に長溝１８が形成され、該長溝１８に前記固定部材１６に立設のガイドピン１９と蝶ねじ２０が配されている。これにより目盛表示部材１７は縦方向に移動するが、蝶ねじ２０により選択された位置に固定される。
【００２８】
また目盛表示部材１７は、縦方向に目盛２２，２３が表示され、下方の矢印を固定部材１６の基準ライン２４に合わせると、目盛２２が使用され、図示例では、前記既設のレール８の頭部８ａの頂部と同等のレベル表示となっている。
【００２９】
この垂直方向の測定部材４の使用例は、図６に示すように、仮り置きレール１３の頭部１３ａの側面に当接して、頂面を目視することで行われる。この例では仮り置きレール１３は高低差のない設置即ち０レベルとなっている。
【００３０】
さらに、目盛表示部材４の上方の矢印を基準ライン２４に合わせると、他方の目盛２３が使用されるようになり、下方（マイナス方向）への目盛を多くすることができる。
【００３１】
仮り置きレールの測定装置１の使用例は、図１に示すように中空部材２を既設レール間隔に伸ばし、載置する。それから係止板１１を既設レールに係止した上で、水平方向の測定部材３を伸ばし、先端の垂直方向の測定部材４を仮り置きレール１３の頭部１３ａの側面に当接させる。
【００３２】
そして、水平方向の測定部材３の中空部材２からの引き出された部位を読むことで、仮り置きレールの離隔寸法が測定される。それから、仮り置きレール１３の頭部１３ａの頂面位置の目盛を読むことで、仮り置きレール１３の高低差寸法を確認できる。
【図面の簡単な説明】
【００３３】
【図１】この発明の実施例を示し、使用状態の正面図である。
【図２】同上の運搬時や収納時に縮めた状態の正面図である。
【図３】同上の中空部材と水平方向の測定部材との拡大正面図である。
【図４】図３Ａ−Ａ線方向から見た側面図である。
【図５】図３Ｂ−Ｂ線に添う断面図である。
【図６】垂直方向の測定部材の拡大正面図である。
【図７】垂直方向の測定部材の拡大斜視図である。
【符号の説明】
【００３４】
２    中空部材
３    水平方向の測定部材
４    垂直方向の測定部材
６    既設レール
７    置き座
８    既設レール
９    置き座
１１  係止板
１３  仮り置きレール
１４  目盛
１６  固定部材
１７  目盛表示部材
１８  長溝
２０  蝶ねじ
２２  目盛
２３  目盛
２４  基準ライン
【図１】
2008208679.tif 000003
【図２】
2008208679.tif 000004
【図３】
2008208679.tif 000005
【図４】
2008208679.tif 000006
【図５】
2008208679.tif 000007
【図６】
2008208679.tif 000008
【図７】
2008208679.tif 000009